(57)【特許請求の範囲】
【請求項１】
光学系の一部又は全部を構成する複数のレンズ素子で構成され、各レンズ素子同士を当接させることで各レンズ素子の間隔が決められたレンズブロックの製造方法において、
口径がいずれのレンズ素子の径よりも大きい挿入口を有する治具を用い、この治具の中に前記挿入口を通して前記複数のレンズ素子を挿入する際に、後続して挿入されるレンズ素子の外径が先行して挿入されたレンズ素子の外径以上となる順に挿入するステップと、
前記治具に前記複数のレンズ素子を挿入した後、前記治具の外周に設けた複数の開口部から、前記レンズ素子同士が当接し合った外周面上、かつ、その周方向の少なくとも３箇所に接着剤を塗布して接着することにより、前記複数のレンズ素子を治具内で一体化するステップと、
前記一体化された前記複数のレンズ素子を前記治具から取り出すステップとを備えること特徴とするレンズブロックの製造方法。
【請求項２】
光学系の一部又は全部を構成する複数のレンズ素子と、その一部のレンズ素子の間隔を位置決めする間隔環とを、各レンズ素子同士の当接、及びレンズ素子と間隔環との当接により各レンズ素子の間隔が決められたレンズブロックの製造方法において、
口径がいずれのレンズ素子及び間隔環の径よりも大きい挿入口を有する治具を用い、この治具の中に前記挿入口を通して前記複数のレンズ素子及び間隔環を挿入する際に、後続して挿入されるレンズ素子または間隔環の外径が先行して挿入されたレンズ素子または間隔環の外径以上となる順に挿入するステップと、
前記治具に前記複数のレンズ素子及び間隔環を挿入した後、前記治具の外周に設けた複数の開口部から、前記レンズ素子または間隔環同士が当接し合った外周面上、かつ、その周方向の少なくとも３箇所に接着剤を塗布して接着することにより、前記複数のレンズ素子及び間隔環を治具内で一体化するステップと、
前記一体化された前記複数のレンズ素子及び間隔環を前記治具から取り出すステップとを備えることを特徴とするレンズブロックの製造方法。
【請求項３】
前記治具は、前記挿入口を有し、前記複数のレンズ素子が挿入される筒部と、前記筒部に最初に挿入されるレンズ素子を受ける受け部と、前記筒部の内周面に設けられ、各レンズ素子の中心を整合させるための複数の位置決め面部と、前記接着剤を塗布する位置に形成されている複数の開口部と、を備えていることを特徴とする請求項１又は２記載のレンズブロックの製造方法。
【請求項４】
前記治具には、前記接着剤を通過させるための溝が、取り出し方向に向けて広がるようにテーパ状に形成されていることを特徴とする請求項１ないし３いずれか１項記載のレンズブロックの製造方法。
【請求項５】
光学系の一部又は全部を構成する複数のレンズ素子で構成され、各レンズ素子同士を当接させることで各レンズ素子の間隔が決められたレンズブロックを作るときに使用する治具において、
口径がいずれのレンズ素子の径よりも大きい挿入口を有し、各レンズ素子が、後続して挿入されるレンズ素子の外径が先行して挿入されたレンズ素子の外径以上となる順に、前記挿入口を通して挿入される筒部と、前記筒部に最初に挿入されるレンズ素子を受ける受け部と、前記筒部の内周面に設けられ、各レンズ素子の中心を整合させるための複数の位置決め面部と、前記レンズ素子同士の間の当接部の外側で、かつ、その周方向の少なくとも３箇所の位置に各々形成され、外部から接着剤を前記当接部にのみ塗布するための複数の開口部と、を備えていることを特徴とする治具。
【請求項６】
光学系の一部又は全部を構成する複数のレンズ素子と、その一部のレンズ素子の間隔を位置決めする間隔環とを、各レンズ素子同士の当接、及びレンズ素子と間隔環との当接により各レンズ素子の間隔が決められたレンズブロックを作るときに使用する治具において、
口径がいずれのレンズ素子及び間隔環の径よりも大きい挿入口を有し、各レンズ素子及び間隔環が、後続して挿入されるレンズ素子または間隔環の外径が先行して挿入されたレンズ素子または間隔環の外径以上となる順に挿入される筒部と、前記筒部に最初に挿入されるレンズ素子を受ける受け部と、前記筒部の内周面に設けられ、各レンズ素子の中心を整合させるための複数の位置決め面部と、前記レンズ素子または間隔環同士の間の当接部の外側で、かつ、その周方向の少なくとも３箇所の位置に各々形成され、外部から接着剤を前記当接部にのみ塗布するための複数の開口部と、を備えていることを特徴とする治具。
【請求項７】
前記接着剤により一体化された前記複数のレンズ素子を前記筒部から取り出すときに前記接着剤を通過させるための溝が、取り出し方向に向けて広がるようにテーパ状に形成されていることを特徴とする請求項５または６記載の治具。
【発明の詳細な説明】
【技術分野】
【０００１】
本発明は、光学系の一部又は全部を成す複数のレンズ素子を一体的に取り扱うことができる構造にしたレンズブロックの製造方法及びこれに用いる治具に関するものである。
【背景技術】
【０００２】
従来、大画面のスクリーンの後ろにプロジェクタユニットを置いてスクリーンに投影するＲＰＴＶ（リアプロジェクションテレビ）が知られている（特許文献１）。ＲＰＴＶは、プラズマや液晶などのテレビに比べて画面サイズあたりの単価が安価なことから、かなり普及している。ただし、画面の裏側にプロジェクタユニットを入れないといけないため、厚さがでてしまうのが欠点である。
【０００３】
そこで、プロジェクタユニットに設けられる投映レンズを略Ｖ字状に折り曲げることにより、投映レンズの長さによる厚み方向の寸法の増大を抑え、薄型化を図ったＲＰＴＶが提案されている（特許文献２）。
【０００４】
特許文献２に記載の投影レンズは、投影レンズを構成する第１光学レンズ群を通過した画像光の光軸を、一定の角度に折り曲げて、折り曲げた光軸の画像光を残りの第２光学レンズ群に入射させる、プリズムなどの光経路変換手段を備えている。この第１又は第２光学レンズ群は、複数のレンズ素子で構成されているため、取り扱いが面倒である。このため、一体化構造にすることが望まれていた。
【０００５】
また、ＲＰＴＶでは、コスト削減が要求され、多くの部品にはプラスチック製の成型部品が使われている。特に、複数のレンズやプリズムなどを保持する鏡体、鏡筒、及びレンズ玉枠などには、高い精度が求められ、製造コストが高く付くため、プラスチック材料を用いて金型成型で作ったものが多い。
【０００６】
ところで、複数のレンズ素子で構成されるレンズブロックは、従来、鏡筒に保持されている。この鏡筒には、内周面に設けた断部が形成されている。断部には、レンズ素子の中心を整合させるための光軸に平行な当たり面と、光軸方向での位置決めを行う光軸に対して垂直な当たり面とを有している。しかも、複数のレンズ素子を組み込むために、鏡筒の内周には複数の断部が形成されている。このため、鏡筒を精密に加工又は形成することが必要になり、鏡筒のコストが高く付く。
【０００７】
また、各レンズ素子を鏡筒に組み込んだ後にも、投影解像力の検査やＭＴＦ測定を行い、光軸ズレによる悪影響が発見された場合には、鏡筒からレンズ素子を取り外して再度組み直して調整し直す作業を行っていた。
【０００８】
そこで、各レンズ素子を間隔環の前後に接着固定するレンズ系組立方法が知られている（特許文献３）。この組立方法では、間隔環の前後に、芯出ししていないレンズ素子を配し、光軸整合などの調整を行った後に、レンズ素子と間隔環との間の隙間に接着剤を塗布して仮止めを行う。仮止めしたレンズブロックは、金型内に挿入され、ここでレンズブロックの全周を樹脂でインサートモールドして、レンズブロックの外周に樹脂製の鏡筒を作る。
【特許文献１】特開２００３−１１４４７９号公報
【特許文献２】特開２０００−１８７２７４号公報
【特許文献３】特開昭５９−６８７１０号公報
【発明の開示】
【発明が解決しようとする課題】
【０００９】
しかしながら、特許文献３に記載の組立方法では、金型内でレンズブロックの周りに溶融樹脂を注入するため、レンズ素子や間隔環の材料の溶融温度が、注入される溶融樹脂の温度と同じか又は低い温度の場合には溶融するおそれがある。特にレンズ素子や間隔環をプラスチック材料で作っている場合には一部が溶融して位置がズレルなどの問題が生じるおそれがある。
【００１０】
また、各レンズ素子を間隔環の前後に載置しただけなので、芯取りをしていないレンズ素子を配置して芯出し調整を行うのは、困難極まる作業になる。
【００１１】
本発明は、上記問題点を考慮してなされたもので、レンズ素子の材料に関わりなく作れ、また、調整作業も簡便に行えるレンズブロックの製造方法及びこれに用いる治具を提供することを目的とする。
【課題を解決するための手段】
【００１２】
上記目的を達成するために、光学系の一部又は全部を構成する複数のレンズ素子で構成され、各レンズ素子同士を当接させることで各レンズ素子の間隔が決められたレンズブロックの製造方法において、口径がいずれのレンズ素子の径よりも大きい挿入口を有する治具を用い、この治具の中に前記挿入口を通して前記複数のレンズ素子を挿入する際に、後続して挿入されるレンズ素子の外径が先行して挿入されたレンズ素子の外径以上となる順に挿入するステップと、前記治具に前記複数のレンズ素子を挿入した後、前記治具の外周に設けた複数の開口部から、前記レンズ素子同士が当接し合った外周面上、かつ、その周方向の少なくとも３箇所に接着剤を塗布して接着することにより、前記複数のレンズ素子を治具内で一体化するステップと、前記一体化された前記複数のレンズ素子を前記治具から取り出すステップとを備えること特徴とする。
【００１３】
また、本発明は、光学系の一部又は全部を構成する複数のレンズ素子と、その一部のレンズ素子の間隔を位置決めする間隔環とを、各レンズ素子同士の当接、及びレンズ素子と間隔環との当接により各レンズ素子の間隔が決められたレンズブロックの製造方法において、口径がいずれのレンズ素子及び間隔環の径よりも大きい挿入口を有する治具を用い、この治具の中に前記挿入口を通して前記複数のレンズ素子及び間隔環を挿入する際に、後続して挿入されるレンズ素子または間隔環の外径が先行して挿入されたレンズ素子または間隔環の外径以上となる順に挿入するステップと、前記治具に前記複数のレンズ素子及び間隔環を挿入した後、前記治具の外周に設けた複数の開口部から、前記レンズ素子または間隔環同士が当接し合った外周面上、かつ、その周方向の少なくとも３箇所に接着剤を塗布して接着することにより、前記複数のレンズ素子及び間隔環を治具内で一体化するステップと、前記一体化された前記複数のレンズ素子及び間隔環を前記治具から取り出すステップとを備えることを特徴とする。なお、前記治具は、前記挿入口を有し、前記複数のレンズ素子が挿入される筒部と、前記筒部に最初に挿入されるレンズ素子を受ける受け部と、前記筒部の内周面に設けられ、各レンズ素子の中心を整合させるための複数の位置決め面部と、前記接着剤を塗布する位置に形成されている複数の開口部と、を備えていることが好ましい。前記治具には、前記接着剤を通過させるための溝が、取り出し方向に向けて広がるようにテーパ状に形成されていることが好ましい。
【００１４】
また、本発明は、光学系の一部又は全部を構成する複数のレンズ素子で構成され、各レンズ素子同士を当接させることで各レンズ素子の間隔が決められたレンズブロックを作るときに使用する治具において、口径がいずれのレンズ素子の径よりも大きい挿入口を有し、各レンズ素子は、後続して挿入されるレンズ素子の外径が先行して挿入されたレンズ素子の外径以上となる順に挿入される筒部と、前記筒部に最初に挿入されるレンズ素子を受ける受け部と、前記筒部の内周面に設けられ、各レンズ素子の中心を整合させるための複数の位置決め面部と、前記レンズ素子同士の間の当接部の外側で、かつ、その周方向の少なくとも３箇所の位置に各々形成され、外部から接着剤を前記当接部にのみ塗布するための複数の開口部と、を備えていることを特徴とする。また、接着前に開口部から例えば治具棒などを挿入して各レンズ素子の偏芯調整なども行えるので調整も簡単にできる。また、本発明は、光学系の一部又は全部を構成する複数のレンズ素子と、その一部のレンズ素子の間隔を位置決めする間隔環とを、各レンズ素子同士の当接、及びレンズ素子と間隔環との当接により各レンズ素子の間隔が決められたレンズブロックを作るときに使用する治具において、口径がいずれのレンズ素子及び間隔環の径よりも大きい挿入口を有し、各レンズ素子及び間隔環が、後続して挿入されるレンズ素子または間隔環の外径が先行して挿入されたレンズ素子または間隔環の外径以上となる順に挿入する筒部と、前記筒部に最初に挿入されるレンズ素子を受ける受け部と、前記筒部の内周面に設けられ、各レンズ素子の中心を整合させるための複数の位置決め面部と、前記レンズ素子または間隔環同士の間の当接部の外側で、かつ、その周方向の少なくとも３箇所の位置に各々形成され、外部から接着剤を前記当接部にのみ塗布するための複数の開口部と、を備えていることを特徴とする。なお、本発明の治具には、前記接着剤により一体構造となった前記複数のレンズ素子を前記筒部から取り出すときに前記接着剤を通過させるための溝が、取り出し方向に向けて広がるようにテーパ状に形成されていることが好ましい。
【発明の効果】
【００１５】
本発明によれば、複数のレンズ素子同士、又は間隔環を含む複数のレンズ素子同士を予め決めた間隔となるように各々を当接して位置決めして当接した部位の外周でかつ周方向の少なくとも３カ所の位置に接着剤を塗布して一体構造に作るため、作製が簡単である。また、接着をするだけであるため、材質の異なるレンズ素子でも一体構造にすることができる。また、治具を用いることで、光軸合わせの位置決めが簡便になる。さらに、治具の発明によれば、筒部に各レンズ素子を挿入して各レンズ素子の光軸方向及び径方向での位置決めが行えているから、例えば、接着前に開口部から例えば治具棒などを挿入して各レンズ素子の偏芯調整を微調整することができ、よって、細かな調整も簡便に行える。
【発明を実施するための最良の形態】
【００１６】
リアプロジェクタ１０は、図１に示すように、画像が投映される透過型のリアスクリーン１１と、照明光から画像光を生成して出射するプロジェクタユニット１２と、プロジェクタユニット１２から出射した画像光をリアスクリーン１１に向けて反射する背面鏡１３とを備えている。
【００１７】
プロジェクタユニット１２及び背面鏡１３は筐体１４の内部に設けられ、リアスクリーン１１は筐体１４の開口部に設けられている。リアスクリーン１１は、水平方向に長辺を有する矩形状をしている。リアスクリーン１１にはその裏側から画像光が照射され、投映された画像は表側から鑑賞される。背面鏡１３は、上辺が長く、下辺が短い台形状をしており、リアスクリーン１１に対して傾斜している。
【００１８】
プロジェクタユニット１２は、図２に示すように、投影レンズ１５と画像光生成部１６とを備えている。画像光生成部１６は、光源から照射された照明光のエネルギー分布をロッドインテグレーター等の導光手段で均一化した照明光を受光して光変調することにより画像光を生成する。投影レンズ１５は、画像光生成部１６で生成した画像光をリアスクリーン１１に投映させる。
【００１９】
投影レンズ１５は、第１レンズ群１７、光路折り曲げミラー１８、及び、第２レンズ群１９とからなる。第２レンズ群１９は、画像光生成部１６から出射する画像光の進路と平行な主光軸１９ａを有している。光路折り曲げミラー１８は、平面鏡となっており、第１レンズ群１７と第２レンズ群１９との間に設けられている。光路折り曲げミラー１８は、色合成された画像光の主光軸１９ａを、直角以外の角度、例えば鋭角に折り曲げる。第１レンズ群１７は、背面鏡１３と対面する向きに設けられている。なお、光路折り曲げミラー１８の代わりにプリズムを用いてもよい。
【００２０】
第１レンズ群１７は、投影レンズ１５のフォーカスレンズを構成している。このレンズ群１７は、複数のレンズ素子を接着剤で固定して一体構造にしたレンズブロックとなっており、第１レンズ保持枠２０に保持されている。この第１レンズ保持枠２０には、段部２０ａと押さえ部２０ｂとが一体に設けられている。また、第１レンズ保持枠２０は、径方向に複数に分割した分割部品で構成されている。段部２０ａは、レンズブロックのうちの一部のレンズ素子のコバを光軸１８ａの一方向から受ける。押さえ部２０ｂは、第１レンズ保持枠２０のうちの前記一方向とは逆の方向の端に設けられており、レンズブロックを段部２０ａに向けて押さえる。このように第１レンズ保持枠２０は、段部２０ａ及び押さえ部２０ｂだけが形成されているだけで、従来のように、各レンズ素子を位置決めする複数の段部及び押さえ環を用いなくてよいため、ローコストで作れる。また、この第１レンズ保持枠２０には、光路折り曲げミラー１８を取り付ける光学系保持部２１が一体に設けられている。
【００２１】
第２レンズ群１９は、リアスクリーン１１の側から順に配された複数のレンズ素子Ｌ１〜Ｌ８で構成されている。そのうちのレンズ素子Ｌ１は、光学系保持部２１に保持され、残りの第２レンズ群の一部のレンズ素子Ｌ２〜Ｌ８は、第２レンズ保持枠２２に保持されている。この第２レンズ保持枠２２は、光学系保持部２１に位置決め固定される。
【００２２】
第１レンズ群１７は、図３に示すように、リアスクリーン１１の側から順に、第１レンズ素子３０、第１間隔環３１、第２〜第４レンズ素子３２〜３４、第２間隔環３５、第５レンズ素子３６、第３間隔環３７、及び、第６レンズ素子３８を配した構成になっており、これらは、鏡筒状の治具４０を利用して一体構造になるように作られる。なお、図３を見ても分かるように、リアプロジェクタ用の投影レンズ５は、前玉レンズである第１レンズ素子３０の径が極端に大きい。このため、一体化した方が組立時に簡便である。
【００２３】
各レンズ素子３０，３２〜３４、３６，３８は、芯出し後の形態となっており、リアスクリーン１１の側から順に、徐々に小径になる形態となっている。よって、治具４０の内面も後方に向かって尻つぼみとなる円筒形状となっている。なお、第１レンズ群１７としては、隣り合うレンズ素子に同じ径のものを使用してもよいし、すべてを同じ外径のレンズ素子で構成してもよい。
【００２４】
この治具４０には、各レンズ素子３０，３２〜３４、３６，３８及び間隔環３１，３５，３７を、挿入口３９ａ（図４参照）を介して挿入するための筒部３９を有している。筒部３９の内周には、図４に示すように、筒部の内周面に、段部が光軸１８ａに沿って複数形成されている。各段部を構成する光軸１８ａに平行な前・後面は、各レンズ素子３０，３２〜３４、３６，３８、及び、間隔環３１，３５，３７の外周に接し、かつ、これらの中心の位置を整合させるための位置決め面である。また、治具の外周には、内面まで貫通した開口部４１が複数形成されている。開口部４１は、各レンズ素子３２〜３４の間、及び、レンズ素子３０，３２，３４，３６，３８と間隔環３１，３５，３７との間の位置に相当する外周で、かつ周方向の複数の位置、例えば４分割の位置に、それぞれ略円形で形成されている。さらに、筒部３９の内部後方には、最初に挿入される第６レンズ素子３８の後面のコバに当接してそのレンズ素子３８を受ける受け部４３が形成されている。
【００２５】
組み立ては、図５に示すように、各レンズ素子３０，３２〜３４、３６，３８及び間隔環３１，３５，３７を後方から順に治具４０に挿入する。このとき、例えば治具４０をアルミや金属製の材料で作っている場合、内面で各レンズ素子３０，３２〜３４、３６，３８の外周などに傷を付けるおそれがある。そこで、治具４０の内面にテフロン（登録商標）加工を施すようにするのが好適である。
【００２６】
治具４０に挿入した後には、第１レンズ群１７の前面（リアスクリーン１１の側の面）３０ａを、治具である押さえ部材４２で押さえ付ける。この押さえ部材４２としては、第１レンズ群１７のコバ前面のみに接するようにリング形状の部材で押さえるのが、投影光が通る範囲に傷を付けないので、望ましい。これにより、各レンズ素子３０，３２〜３４、３６，３８は、受け部４３との間で各レンズ素子３０，３２〜３４、３６，３８同士の間、及びレンズ素子３０，３２〜３４、３６，３８と間隔環３１，３５，３７との間が隙間なく突き当てられる。
【００２７】
押さえ部材４２で押さえ付けた状態で、複数の開口部４１を通して接着剤を注入し、複数のレンズ素子３０，３２〜３４、３６，３８及び間隔環３１，３５，３７を一体化させる。注入するときには、複数の注入器を用いて一度に注入してもよいし、例えば前側の開口部４１の列から順番に分けて注入してもよい。なお、接着剤としては、紫外線硬化性樹脂などの接着剤を用いるのが好適である。この場合には、紫外線を照射するだけで接着剤が硬化するので硬化時間を短縮することができる。
【００２８】
接着剤が硬化した後には、図６に示すように、治具４０から第１レンズ群１７を光軸１８ａの方向に取り出す。取り出した第１レンズ群１７は、レンズ素子３０，３２〜３４、３６，３８同士の隙間、及びレンズ素子３０，３２〜３４、３６，３８と間隔環３１，３５，３７との隙間が接着剤４５により固着されているので、一体的に取り扱える形態となっている。なお、治具４０から取り出した後に、微細な偏芯調整などを行う場合には、偏芯調整後に、治具４０を使って接着剤を塗布した個所の間に、全周となるように追加して接着剤を塗布して頑固に固定するようにしてもよい。また、調整しない場合であっても全周に接着剤を施すことで補強になる。
【００２９】
レンズ素子３０，３２〜３４、３６，３８同士を接着する場合、接着剤の盛り上がりに注意が必要である。例えば、図７に示すように、隣り合うレンズ素子３２，３３同士の径の差が大きい場合には、突き当て側のレンズ素子３２のコバ外周と、被突き当て側のレンズ素子３３のコバ５１の外周との間の隙間も大きいため、盛り上げた接着剤が前記隙間に確実に収まり、取り出すときに、内面に引っ掛かることはない。しかし、隣り合うレンズ素子３３，３４同士のように、径の差が少ない場合には、突き当て側のレンズ素子３２のコバ外周と、被突き当て側のレンズ素子３３のコバ５１の外周との間の隙間も少ないため、突き当て側のレンズ素子３３のコバに面取り部５０を作り、その面取り部５０と被突き当て側のレンズ素子３４のコバ５１の外周との間の隙間を大きくすればよい。これによれば、盛り上がった接着剤は、第１レンズ群１７を治具４０から取り出すときに、前方の大径のレンズ素子３3が取り出されるスペースを通るため、治具４０の内面に引っ掛かることはない。なお、接着剤を多量に塗布しても、レンズ素子同士を突き当てているため、接着剤がレンズ素子同士の当接部５２から内側（光軸側）に漏れることもない。また、当接部５２の形状としては、断面において受けの方が面、押し当てる方が点となる点当たり形状にしてもよいし、面同士で当たる面当たり形状にしてもよい。
【００３０】
また、上記実施形態では、構成していないが、図８に示すように、隣り合うレンズ素子６０，６１が同じ径の場合には、接着剤６２を盛り上げて塗布すると、取り出すときに接着剤６２が治具の内面に引っ掛かり、レンズブロックが治具から抜けなくなる。なお、面取り部を作っても盛り上がるおそれがある。そこで、この場合には、治具の内周に、開口部４１から取り出し方向に沿って溝６３を形成して、この溝６３を通して接着剤６２を通過させればよい。勿論、接着剤６２の盛り上げは、溝６３の深さ内に収まる高さに規制する必要がある。また、溝６３の底面６３ａが取り出し方向に向けて広がるようにテーパ状に形成すると、抜き取りが容易になる。
【００３１】
間隔環３１，３５，３７は、隣接するレンズ素子同士の間隔が広いとき、また、隣接するレンズ素子の外径が大きく異なるときに、使用される。この間隔環３１，３５，３７とレンズ素子３０，３２〜３４，３６，３８との突き当て部の形状としても、断面において面当たりや点当たりの形状にするのが好ましい。
【００３２】
光軸１８ａの方向の一方向に沿って大径、これよりも小さい小径、これよりも大きい大径の順にレンズ素子が配列されているレンズブロックの構成の場合には、一体的な治具４０ではレンズブロックが取り出せない。このような場合には、治具を径方向に２つ割った割型で構成すればよい。このとき、各レンズ素子のコバに抜き勾配を付けるのが好適である。なお、２つ割型に限らず、３個以上の割型で治具を作っても良い。
【００３３】
治具４０から取り出した第１レンズ群１７、すなわちレンズブロックは、製品となる第１レンズ保持枠２０に固定される。第１レンズ保持枠２０は、径方向に複数に割った複数の分割部品で構成されている。このため、レンズブロックに対して光軸１８ａに交差する方向から複数の分割部品を組み合わせた後に、分割部品同士を組み合わせ方向からネジ止めなどの固定手段で固定して第１レンズ保持枠２０を作る。これにより、第１レンズ保持枠２０は、図１に示したように、段部２０ｂと押さえ部２０ａとでレンズブロックを光軸１８ａの方向での位置決めをした状態で保持する。このとき、勿論、レンズブロックの中心を光軸１８ａに合わせる位置決めは、第１レンズ保持枠２０の内面の一部又は全部でレンズブロックの外周の一部又は全部を当接させることで行える。この第１レンズ保持枠２０に第２レンズ保持枠２２を取り付けて一体化することで投射レンズ１５が作られる。この投射レンズ１５には、取り付け用のフランジ部２２ａが設けられており、フランジ部２２ａは、プロジェクタ１２の筺体に設けた取り付け部１２ａなどにビス止めなどの固定手段により固定される。これにより，投射レンズ１５は、画像光生成部１６で生成した画像光をリアスクリーンに投影する位置に位置決め固定される。
【００３４】
なお、第１レンズ保持枠２０が分割部品で構成されていない一体構造の場合には、筒部に第１レンズ群１７を小径のレンズ素子３８の方から挿入する。これにより、第１レンズ保持枠２０の内周に形成した段部２０ａに、第１レンズ群１７を構成するうちの一部のレンズ素子が当接して光軸１８ａの方向での位置決めがなされる。なお、勿論、第１レンズ群１７の中心を光軸１８ａに合わせる位置決めは、第１レンズ保持枠２０の内面の一部で第１レンズ群１７の外周の一部を当接させることで行える。その後、レンズブロックと第１レンズ保持枠２０とを固定手段で固定する。この固定手段としては、挿入方向に対して逆方向の端の第１レンズ素子３０を第１レンズ保持枠２０に対して接着剤や止め輪などを用いて固定すればよい。
【００３５】
リアプロジェクタ１０は、リアスクリーン１１のサイズが異なるものがある。この場合、スクリーンサイズごとで、画面サイズとスクリーンまでの距離とが変わるため、焦点距離、及びピント位置の異なる光学系を用いるが、焦点距離及びピント位置を調節することが可能な光学系を用いれば、一部の光学系を兼用して使用することができる。本実施形態の場合には、スクリーンサイズごとにレンズ位置が変わる第１レンズ保持枠を用いることで、レンズブロックである第１レンズ群１７を兼用して使用することができる。また、第１レンズ保持枠２０をヘリコイド機構などで光軸１８ａの方向に進退自在に保持し、焦点距離及びピント位置を調節するようにしてもよい。
【００３６】
また、レンズブロックである第１レンズ群１７は、レンズ素子３０，３２〜３４，３６，３８同士及びレンズ素子３０，３２，３４，３６，３８と間隔環３１，３５，３７とを接着した構成としているが、間隔環３１，３５，３７を用いずにレンズ素子同士のみを接着した構成であってもよいし、また、全てのレンズ素子の間に間隔環を挿入した構成であってもよい。
【００３７】
さらには、複数のレンズ素子を精密に作った製品用の鏡筒に組み込んで予め固定しておき、そのレンズ鏡筒を他のレンズ素子に接着するときに前述した治具４０を使って作る構成にしてもよい。さらに、前述した第１レンズ素子３０は、ガラス層と合成樹脂層とを接合した樹脂積層レンズとなっている。このような材料に加えて、ガラス以外のプラスチック製の材料で作ったレンズ素子でも、本発明では、高熱を付与しないで接着剤のみを用いて一体構造にするため、なんら問題はない。
【００３８】
また、上述の実施形態においては、光路折り曲げミラーを用いたリアプロジェクタについてのみ説明しているが、本発明はこれに限定されず、光路折り曲げミラーを用いないリアプロジェクタやスクリーンの前面に投影するプロジェクタや、カメラ、及び、複写機などの光学系を用いた光学機器にも適用することができる。
【図面の簡単な説明】
【００３９】
【図１】リアプロジェクタの構成を示す説明図である。
【図２】投影レンズの概略を示す断面図である。
【図３】投影レンズの一部を構成する第１レンズ群と、それを一体構造にするときに用いる治具とを示す斜視図である。
【図４】治具に第１レンズ群を構成する各レンズ素子を挿入した状態を示す断面図である。
【図５】治具を用いて作製する手順を示すフローチャート図である。
【図６】治具から第１レンズ群を取り出した状態を示す斜視図である。
【図７】レンズ同士を接着するときの一例を示す要部端面図である。
【図８】レンズ同士を接着するときの他の例を示す要部端面図である。
【符号の説明】
【００４０】
１０  リアプロジェクタ
１１  リアスクリーン
１２  プロジェクタユニット
１７  第１レンズ群（レンズブロック）
１８  光路折り曲げミラー
３９  筒部
４０  治具
４１  開口部
４５  接着剤
【図１】
0004789564.tif 000002
【図２】
0004789564.tif 000003
【図３】
0004789564.tif 000004
【図５】
0004789564.tif 000005
【図６】
0004789564.tif 000006
【図７】
0004789564.tif 000007
【図８】
0004789564.tif 000008
【図４】
0004789564.tif 000009